(57)【要約】【課題】片手での保持・操作が極めて困難であった手帳型のケースにおいて、携帯端末を持った手で保持・操作することが容易になる携帯端末保持用手帳型ケースを提供する。【解決手段】本体Ｐの裏側に固定する裏カバー２０を設ける。本体Ｐの表示面Ｐ１を被覆する表カバー１０を裏カバー２０に揺動自在に設ける。反転した表カバー１０の外側が裏カバー２０の外側に重なるように設ける。表カバー１０の内側にシート状の手指保持具３０を設ける。手指保持具３０の左右に手指挿入口３１を形成する。手指挿入口３１内に挿入した手指を手指保持具３０で保持するように構成する。【選択図】  図１
2018114249.tif 000002
【特許請求の範囲】
【請求項１】
タッチパネル方式の表示面を有する携帯端末の本体裏側に固定する裏カバーと、該裏カバーの一側縁に揺動自在に設けられ本体の表示面を開閉自在に被覆する表カバーとで形成された手帳型ケースにおいて、表カバーの内側に弾性シート状の手指保持具を設けると共に、該手指保持具の左右に手指挿入口を形成し、表カバーを反転して裏カバー側に重ねたときに表出する手指保持具の一方の手指挿入口内に手指を挿入するように設け、挿入した手指を手指保持具で保持するように構成したことを特徴とする携帯端末保持用手帳型ケース。
【請求項２】
前記手指保持具において、前記表カバーを反転して前記裏カバー側に重ねたときに、前記手指挿入口が前記本体の左右側縁部に沿って近接する位置に形成された請求項１記載の携帯端末保持用手帳型ケース。
【請求項３】
前記表カバーの内側にカードを収納する収納部を設け、該収納部に収納したカードを前記手指保持具にて被覆するように構成した請求項１記載の携帯端末保持用手帳型ケース。
【請求項４】
前記裏カバーに撮影用孔を設け、該撮影用孔を前記本体裏側のカメラ機器の位置に合わせると共に、該裏カバーに前記表カバーを重ねたときに撮影用孔の位置に重なる透過部を前記表カバーに設けた請求項１記載の携帯端末保持用手帳型ケース。
【請求項５】
タッチパネル方式の表示面を有する携帯端末の本体裏側に固定する裏カバーと、該裏カバーの一側縁に揺動自在に設けられ本体の表示面を開閉自在に被覆する表カバーとで形成された手帳型ケースに装着する手帳型ケース保持具であって、表カバー内側の全面又は一部を覆う弾性シート材にて設けられ、左右に手指挿入口を形成した手指保持具と、該手指保持具の上下端部に設けられ表カバーの上下端部に着脱自在に連結する連結具と、を備え、表カバーを反転して裏カバー側に重ねたときに手指保持具が表出するように装着すると共に、該手指保持具の一方の手指挿入口内に挿入した手指を手指保持具で保持するように構成したことを特徴とする手帳型ケース保持具。
【請求項６】
タッチパネル方式の表示面を有する携帯端末の本体裏側に固定する裏カバーと、該裏カバーの一側縁に揺動自在に設けられ本体の表示面を開閉自在に被覆する表カバーとで形成された手帳型ケースを保持する手帳型ケース保持方法であって、左右に手指挿入口が形成された手指保持具を表カバーの内側に設け、表カバーを反転して裏カバー側に重ねたときに表出する手指保持具の手指挿入口内に挿入した手指で表カバーごと本体を保持することを特徴とする手帳型ケース保持方法。
【発明の詳細な説明】
【技術分野】
【０００１】
本発明は、スマートフォンやタブレット等に装着する手帳型のケースにおいて片手での保持・操作を容易にする携帯端末保持用手帳型ケース及び手帳型ケース保持具と手帳型ケース保持方法に関する。
【背景技術】
【０００２】
スマートフォンやタブレットなどの携帯端末に装着するケースやカバーとして、携帯端末の背面に装着するカバータイプや、携帯端末を手帳のように包み込む手帳型ケース等が使用されている。
【０００３】
カバータイプには、例えば特許文献１に記載の保護カバーや、特許文献２に記載のホールド用カバーなどが提案されている。特許文献１の保護カバーは携帯端末の裏側に装着する保護カバーの中央に、指先を挿入する帯状の挿入部を突設したもので、携帯端末を保持する際にこの挿入部に指をかける保護カバーである。
【０００４】
特許文献２のホールド用カバーは、当発明者が先に提案したカバーであり、本体の側縁部に着脱自在に装着される固定体と本体の裏面を被覆するカバー体とを備えている。そして、携帯端末の左右側縁部に沿った指先差込口をカバー体に形成したもので、この手指差込口に手指を挿入して本体を保持すると、本体を持った手で携帯端末を容易に操作できるようになるなど、携帯端末の操作性を向上させることに成功したものである。
【０００５】
一方、手帳型ケースとして特許文献３に記載のケースが提案されている。この手帳型ケースは、携帯端末の裏側に固定する裏カバーと、該裏カバーに揺動自在に連結された表カバーとで手帳型に形成された携帯端末用ケースである。特に、特許文献３の手帳型ケースによると、この手帳型ケースに吊下げベルトを装着し、携帯端末を肩などに吊り下げて使用することで、携帯端末の操作を容易にするというものである。
【先行技術文献】
【特許文献】
【０００６】
【特許文献１】特開２０１３−５５５１０号公報
【特許文献２】特許第５８０６４２２号公報
【特許文献３】実用新案登録第３２０６２４８号公報
【発明の概要】
【発明が解決しようとする課題】
【０００７】
特許文献１に記載の保護カバーは、携帯端末の裏側に装着する保護カバーに、更に指先を挿入する帯状の挿入部を突設した構成になっている。そのため、この保護カバーを携帯端末に装着すると携帯端末全体が分厚くなり、保護カバーの裏側から突出した挿入部が携帯端末の収納時や移動時の妨げになる。
【０００８】
しかも、この保護カバーによると、挿入部に差し込んだ指は本体の裏面中央部分に固定されるため、携帯端末を操作する際に、固定された裏面中央部から表示面に指を伸ばすことになり、表示面側の指の操作範囲が制限される不都合もあった。
【０００９】
そこで、特許文献２に記載のホールド用カバーにより、本体の左右側縁部に沿って近接する手指差込口をカバー体に形成することで、携帯端末を持った手の指で操作する際の操作性を著しく向上させることができるようになっている。
【００１０】
ところが、特許文献１の保護カバーや特許文献２のホールド用カバーは、いずれも携帯端末の裏側に装着するカバータイプであるから、特許文献３のように、携帯端末を包み込む手帳型ケースに利用することは困難な構造であった。
【００１１】
すなわち、手帳型ケースを装着した携帯端末を片手で使用する場合、表カバーを裏カバーに重ねた状態で持つことがある。ところが、表カバーは開閉自在になるように揺動する構成なので、この動きやすい表カバーを介して携帯端末を保持・操作しようとすると不安定な状態になるおそれがある。そこで、特許文献１や特許文献２のように裏カバーに挿入部や指先差込口を設けると、これらの挿入部や指先差込口に表カバーが重なるため、これら挿入部や指先差込口に指先を挿入することが困難になる。
【００１２】
しかも、手帳型ケースの中には表カバーの内側にカードなどを収納する収納部を備えている構成も多く、表カバーは、あたかも手帳の表紙のごとく開閉するように設けられている。このような開閉自在な表カバーの存在が携帯端末を片手で保持する際の障害になっていた。この結果、従来の手帳型ケースを使用する場合は、通常の手帳と同様に表カバーを開いた状態のまま両手で使用することが多くなっている。このように、従来の手帳型ケースは、カバータイプと比べて片手での保持・操作が困難になる不都合があった。
【００１３】
そこで、特許文献３の手帳型ケースでは、携帯端末のケースに吊下げベルトを装着することで、操作を容易にするように構成されている。すなわち、吊下げベルトで携帯端末を吊り下げると、手帳型ケースの表カバーを開いたときに、吊下げたままで携帯端末を操作できるというものである。しかしながら、吊下げベルトで携帯端末の落下を防止できるとしても、開閉自在な表カバーを固定することはできないので、片手での保持・操作を容易にするには、未だ多くの課題が残されている。
【００１４】
そこで本発明は上述の課題を解消すべく創出されたもので、従来では片手での保持・操作が困難であった手帳型ケースにおいて、携帯端末を持った片手で容易に保持・操作することが可能になる携帯端末保持用手帳型ケース及び手帳型ケース保持具と手帳型ケース保持方法の提供を目的とするものである。
【課題を解決するための手段】
【００１５】
上述の目的を達成すべく本発明の第１の手段は、タッチパネル方式の表示面Ｐ１を有する携帯端末の本体Ｐ裏側に固定する裏カバー２０と、該裏カバー２０の一側縁に揺動自在に設けられ本体Ｐの表示面Ｐ１を開閉自在に被覆する表カバー１０とで形成された手帳型ケースにおいて、表カバー１０の内側に弾性シート状の手指保持具３０を設けると共に、該手指保持具３０の左右に手指挿入口３１を形成し、表カバー１０を反転して裏カバー２０側に重ねたときに表出する手指保持具３０の一方の手指挿入口３１内に手指を挿入するように設け、挿入した手指を手指保持具３０で保持するように構成したことにある。
【００１６】
第２の手段は、前記手指保持具３０において、前記表カバー１０を反転して前記裏カバー２０側に重ねたときに、前記手指挿入口３１が前記本体Ｐの左右側縁部Ｐ３に沿って近接する位置に形成されたものである。
【００１７】
第３の手段は、前記表カバー１０の内側にカードＱを収納する収納部１２を設け、該収納部１２に収納したカードＱを前記手指保持具３０にて被覆するように構成している。
【００１８】
第４の手段は、前記裏カバー２０に撮影用孔２１を設け、該撮影用孔２１を前記本体Ｐ裏側のカメラ機器の位置に合わせると共に、該裏カバー２０に前記表カバー１０を重ねたときに撮影用孔２１の位置に重なる透過部１１を前記表カバー１０に設けたものである。
【００１９】
第５の手段は、タッチパネル方式の表示面Ｐ１を有する携帯端末の本体Ｐ裏側に固定する裏カバー２０と、該裏カバー２０の一側縁に揺動自在に設けられ本体Ｐの表示面Ｐ１を開閉自在に被覆する表カバー１０とで形成された手帳型ケースに装着する手帳型ケース保持具であって、表カバー１０内側の全面又は一部を覆う弾性シート材にて設けられ、左右に手指挿入口４１を形成した手指保持具４０と、該手指保持具４０の上下端部に設けられ表カバー１０の上下端部に着脱自在に連結する連結具５０と、を備え、表カバー１０を反転して裏カバー２０側に重ねたときに手指保持具４０が表出するように装着すると共に、該手指保持具４０の一方の手指挿入口４１内に挿入した手指を手指保持具４０で保持するケース保持具にある。
【００２０】
第６の手段は、タッチパネル方式の表示面Ｐ１を有する携帯端末の本体Ｐ裏側に固定する裏カバー２０と、該裏カバー２０の一側縁に揺動自在に設けられ本体Ｐの表示面Ｐ１を開閉自在に被覆する表カバー１０とで形成された手帳型ケースを保持する手帳型ケース保持方法であって、左右に手指挿入口４１が形成された手指保持具４０を表カバー１０の内側に設け、表カバー１０を反転して裏カバー２０側に重ねたときに表出する手指保持具４０の手指挿入口４１内に挿入した手指で表カバー１０ごと本体Ｐを保持するケース保持方法にある。
【発明の効果】
【００２１】
本発明の請求項１に記載のごとく、表カバー１０の内側に弾性シート状の手指保持具３０を設けると共に、該手指保持具３０の左右に手指挿入口３１を形成し、表カバー１０を反転して裏カバー２０側に重ねたときに表出する手指保持具３０の一方の手指挿入口３１内に手指を挿入するように設け、挿入した手指を手指保持具３０で保持するように構成したことにより、開閉自在に設けられている表カバー１０を介して携帯端末を保持していても極めて安定した状態になる。この結果、従来では片手での保持・操作が困難であった手帳型のケースであっても、携帯端末を持った片手による保持・操作が容易になるものである。
【００２２】
請求項２のように、手指挿入口３１は、本体Ｐの左右側縁部Ｐ３に沿うように形成されるので、手指挿入口３１に挿入した手指をいずれかの左右側縁部Ｐ３に沿った位置に固定することができる。したがって、本体Ｐを持った手指で表示面Ｐ１を操作し易い状態になり、片手での操作性をより高めることができる。
【００２３】
請求項３のように、表カバー１０の内側にカードＱを収納する収納部１２を設け、該収納部１２に収納したカードＱを手指保持具３０にて被覆するように構成しているので、携帯端末を使用する際に、表カバー１０を反転しても収納しているカードＱの露出を防ぐことができる。この結果、使用者の個人情報を守ることができ、使用時の安全性を高める効果がある。また、この手指保持具３０はカードＱが本体Ｐの表示面Ｐ１に直接接触するのを防止するので、本体Ｐの表示面Ｐ１を保護する効果も奏する。
【００２４】
請求項４のごとく、裏カバー２０に撮影用孔２１を設け、該撮影用孔２１を本体Ｐ裏側のカメラ機器の位置に合わせると共に、該裏カバー２０に表カバー１０を重ねたときに撮影用孔２１の位置に重なる透過部１１を表カバー１０に設けたことにより、表カバー１０と裏カバー２０とを重ねた状態で本体Ｐのカメラを使用することが可能になる。したがって、従来の手帳型ケースのように、両手で表カバー１０を開きながら撮影するなどといった面倒な操作は解消される。しかも、撮影時において手指挿入口３１に挿入した手指を手指保持具３０で保持できるので、本体Ｐが安定し、カメラ撮影に適した操作が可能になる。
【００２５】
請求項５のように、表カバー１０内側の全面又は一部を覆う弾性シート状を成し、左右に手指挿入口４１を形成した手指保持具４０と、該手指保持具４０の上下端部に設けられ表カバー１０の上下端部に着脱自在に連結する連結具５０と、を備え、表カバー１０を反転して裏カバー２０側に重ねたときに手指保持具４０が表出するように設けると共に、該手指保持具４０の一方の手指挿入口４１内に挿入した手指を手指保持具４０で保持するように構成したことで、既成の手帳型ケースに着脱することが可能になり、既に使用している手帳型ケースでも携帯端末を極めて安定した状態で保持することができる。したがって、片手での保持・操作が困難であった手帳型ケースであっても、本発明ケース保持具を装着することで、携帯端末を持った片手による保持・操作が容易になるものである。
【００２６】
請求項６のごとく、左右に手指挿入口４１が形成された手指保持具４０を表カバー１０の内側に設け、表カバー１０を反転して裏カバー２０側に重ねたときに表出する手指保持具４０の手指挿入口４１内に挿入した手指で表カバー１０ごと本体Ｐを保持するケース保持方法により、これまで片手での保持・操作が困難であった手帳型ケースにおいて、表カバー１０を利用して携帯端末を安定した状態で持つことが可能になり、片手による保持・操作が容易になるものである。
【図面の簡単な説明】
【００２７】
【図１】本発明の一実施例を示す使用状態の背面図である。
【図２】本発明の表カバーと裏カバーを開いた状態を示す正面図である。
【図３】本発明の表カバーを裏カバー側に反転する状態を示す平面図である。
【図４】本発明の装着状態を示す斜視図である。
【図５】本発明保持具の一実施例を示す斜視図である。
【図６】本発明保持具の使用状態を示す背面図である。
【図７】本発明保持具の装着状態を示す要部側面図である。
【発明を実施するための形態】
【００２８】
本発明ケースは、スマートフォンやタブレット等の本体Ｐの表側にタッチパネル方式の表示面Ｐ１を備えた携帯端末に装着するケースである。本発明ケースの基本構成は、表カバー１０、裏カバー２０、手指保持具３０にて構成される（図１参照）。そして、携帯端末本体Ｐの前面と後面とを、表カバー１０と裏カバー２０とで覆う手帳型ケース状に形成する（図４参照）。
【００２９】
手指保持具３０は、表カバー１０の内側に設けられるシート状の部材であり、表カバー１０を反転すると表カバー１０が裏カバー２０に重なり手指保持具３０が表出するように設けている（図１参照）。この手指保持具３０の左右には、手指挿入口３１を形成している。そして、手指保持具３０の一方の手指挿入口３１内に手指を差し込んだ手指を手指保持具３０が保持するように構成している。
【００３０】
手指保持具３０のシート状とは、携帯端末本体Ｐと表カバー１０との間に介することが可能な比較的薄い部材で、手指保持具３０の一部又は全体を構成する。すなわち、手指保持具３０を１枚の矩形状シート材で形成する他、適数枚の帯状シートや他の固定部材等と組み合わせることも可能である。また、複層構造のシートを形成し、シートの間に手指を挿入できるようにすることも可能である。したがって、手指保持具３０の厚みや幅、形状等は携帯端末本体Ｐと表カバー１０との間に介することが可能な範囲で任意に変更することができる。
【００３１】
更に、この手指保持具３０を構成するシート材は、特に弾性力を有する弾性シートが使用される。例えば、平ゴム、織ゴム等のゴム材や、シリコーンゴム、ＴＰＵ等の合成樹脂材、あるいは弾性繊維を織り込んだり、含有させたりしたシートなど、あらゆる種類の弾性シート材の使用や、弾性シート材に伸縮性のないシート材を組み合わせて手指保持具３０を設けることも可能である。したがって手指保持具３０の材質は、一部又は全体に弾性力を有し、シート状に形成可能な材質から任意に選択することができる。また、シート材の弾性力も任意に設定することができる。
【００３２】
図示の手指保持具３０は、１枚の矩形状の弾性シートを示している（図１参照）。そして、このシート材の上下端部に固着部３２を設け、この固着部３２を表カバー１０に固定することで、開放した左右側縁を手指挿入口３１とするものである。固着部３２の固定手段は、例えば、接着手段や縫着手段等でシート材を表カバー１０に直接固定する他、弾性シート材と別体の固着部３２をシート材端部に設け、この固着部３２を介して表カバー１０に固定する手段などがある。
【００３３】
更に、表カバー１０に予め任意の固定部を設けておき、この固定部に手指保持具３０の固着部３２を着脱自在に固定することも可能である。また、手指保持具３０を縦向きの帯状ループ形状に形成し、ループの片側を表カバー１０に装着するなど、手指保持具３０の形状や装着手段等は任意に変更することができる。
【００３４】
一方、手指挿入口３１は、手指保持具３０の左右に形成する部位で、この手指挿入口３１内に挿入した手指を手指保持具３０で保持するように設けている。すなわち、表カバー１０を反転して裏カバー２０側に重ねたときに手指保持具３０の手指挿入口３１が表出するように構成している。図示例では、手指保持具３０の左右側縁部を手指挿入口３１として形成している。また、この手指挿入口３１は、手指保持具３０の一部を切り込んで任意形状の手指挿入口３１を形成するなどの変更が可能である。
【００３５】
このとき、手指挿入口３１を本体Ｐの左右側縁部の両方又はいずれかに沿って近接する位置に形成することで、手指挿入口３１に手指を挿入することが容易になる。例えば、左右側縁部の両方に近い手指挿入口３１を形成すると、左右側縁部のどこからでも手指を挿入することができる。また、本体Ｐの左右側縁部において、右利きや左利きの違いで使用の多い側の側縁部に沿った位置に配置することもできる。更に、本体Ｐの一方の左右側縁部から、他方の左右側縁部方向に指先分だけ移動した範囲内の位置に手指挿入口３１を形成することで、本体Ｐを持った手の指で行う操作性を高めることが可能になる。尚、手指挿入口３１の形成位置は、例えば表カバー１０の形状によって変更するなど任意の変更が可能である。
【００３６】
更に、この手指保持具３０にて、表カバー１０の収納部１２に収納したカードＱを覆うように設けることもできる（図２参照）。図示例では、収納部１２の上下に手指保持具３０の固着部３２を固定している。この場合、手指挿入口３１からカードＱを出し入れすることが可能になる。このように、手指保持具３０にてカードＱを覆うように設けることで、使用しているカードＱの種類などが人目に触れずに済み、個人情報を守ることができる。
【００３７】
しかも、従来の手帳型ケースでは収納部１２に収納したカードＱにより、表示面Ｐ１の保護フィルムが傷付く虞もあった。すなわち、表カバー１０を表示面Ｐ１に重ねたときに、カードＱのエッジ部分が表示面Ｐ１に当ることが原因である。そこで、本発明ケースの如く、手指保持具３０にてこのカードＱを被覆することで、表示面Ｐ１側の損傷を防止することも可能になる。
【００３８】
裏カバー２０は、本体Ｐの裏側を被覆すると共に、本体Ｐを固定する固定部２２を備えるものである（図２参照）。図示の固定部２２は、本体Ｐの外周囲に嵌合する枠体状に構成したものである。すなわち、本体Ｐの周囲縁に装着されているスイッチ類の操作を妨げない部分に嵌合するように設けている（図４参照）。この固定部２２は裏カバー２０に直接設けることが可能である。また、裏カバー２０と別体に設けた固定部２２を裏カバー２０に重合するように設けることもできる。このように固定部２２の構成や固定手段は任意に選択することができる。
【００３９】
更に、裏カバー２０には、撮影用孔２１が設けられている（図２参照）。この撮影用孔２１は、本体Ｐの裏側に配置されたカメラ機器の位置に合わせて設けたもので、カメラレンズやフラッシュライト等のカメラ機器の使用の妨げにならないように開口している。
【００４０】
図中符号２３は、裏カバー２０に設けた連結片である（図２参照）。この連結片２３には磁石やスナップ等（図示せず）を備え、本体Ｐの表示面Ｐ１を被覆した表カバー１０を裏カバー２０に連結するように構成している。また、表示面Ｐ１から表カバー１０を開いて裏カバー２０に重ねたときに、この連結片２３や他の部材で表カバー１０を裏カバー２０に連結するように構成することも可能である。尚、この連結片２３の構成や使用の有無等の選択は任意である。
【００４１】
一方、表カバー１０は、裏カバー２０の一側縁に揺動自在に設けられる部材で、本体Ｐの表示面Ｐ１を開閉自在に被覆する（図４参照）。この表カバー１０は、本体Ｐの表示面Ｐ１を操作する際に、裏カバー２０側に反転できるように構成している（図３参照）。図示例では、表カバー１０と裏カバー２０との連続部分に揺動部１３を設け、この揺動部１３を介して表カバー１０を横方向に反転させるように構成している（図２参照）。また、表カバー１０を裏カバー２０の上下いずれかの側縁に設けることもできる（図示せず）。この場合、表カバー１０を縦方向に反転させることになる。
【００４２】
図示例では、表カバー１０を反転して裏カバー２０に折り重ねると、表カバー１０と裏カバー２０との間に隙間が生じる（図３参照）。このような隙間は、揺動部１３や連結片２３の形状や有無により大きく変化するものであるが、本発明では、表カバー１０を反転した際に、裏カバー２０側に表カバー１０の一部でも接触した状態を折り重ね状態とする。また、裏カバー２０の全面に表カバー１０が重なるように構成することも可能である。
【００４３】
更に、表カバー１０の内側に、カードＱを収納する収納部１２を設けている（図２参照）。この収納部１２は、非接触型ＩＣカードやクレジットカード等の各種カードＱを収納することができる。図示の収納部１２は、表カバー１０の内側に切欠状の収納部１２を形成し、手指保持具３０の手指挿入口３１から収納部１２内にカードＱを差し込んでいる。
【００４４】
また、表カバー１０の一部に透過部１１を設けている。この透過部１１は、表カバー１０を裏カバー２０に折り重ねたときに、裏カバー２０の撮影用孔２１の位置に合わせて設けている（図２、図３参照）。図示の透過部１１は、裏カバー２０の撮影用孔２１に重なる開口形状を成している。この透過部１１の形状は、この他、表カバー１０の一部を切り欠いた形状や、表カバー１０の一部を折りたたみ自在に形成し、カメラ使用時にこの一部を折りたたんで透過部１１を形成することもできる。更に、透過部１１に透明ガラス等の透明部材や任意のカメラレンズ等を装着することも可能である。このように透過部１１の構造・形状・サイズ等は任意に変更することができる。
【００４５】
本発明ケースを装着した本体Ｐを使用するには、表カバー１０を反転して裏カバー２０上に折り重ねる。次に、表出した手指保持具３０の手指挿入口３１のいずれか一方から手指保持具３０の内側に手指を差し込む。そうすると本体Ｐを持つ手指が手指保持具３０で保持された状態になり、この手指保持具３０を介して本体Ｐが固定されるので、本体Ｐを持った片手による本体Ｐの保持・操作が容易になるものである（図１参照）。
【００４６】
次に、本発明の手帳型ケース保持具は、本発明ケースに着脱自在に装着する他、既存の手帳型ケースにも装着可能なケース保持具である。本発明ケース保持具の基本構成は、手指保持具４０と連結具５０にて構成される（図５参照）。そして、手帳型ケースの表カバー１０内側に本発明ケース保持具を装着し、表カバー１０を反転すると手指保持具４０が表出するように設けている（図６参照）。
【００４７】
本発明ケース保持具の手指保持具４０を構成する弾性シート材は、前記手指保持具３０を構成する弾性シード材と基本的に同じ構成、材質、形状等とする。すなわち、手指保持具４０の左右には、手指挿入口４１を形成している。そして、手指保持具４０の一方の手指挿入口４１内側に差し込んだ手指を表カバー１０で保持するように構成している。また、手指保持具４０の弾性シート材の構成、材質、形状等は、前記手指保持具３０のように任意の変更が可能である。このように、手指保持具４０は、前記手指保持具３０と基本的に同じ構成を成すものである。
【００４８】
本発明ケース保持具の連結具５０は、手指保持具４０の上下端部に設けられ、表カバー１０の上下端部に着脱自在に連結するように構成している。この連結具５０は、更に、固定部５１と取付部５２とを備えている（図５参照）。
【００４９】
固定部５１は、手指保持具４０の上下端部に固定する部位で、手指保持具４０と連結具５０とを固定する部位である。図示の固定部５１は金属又はプラスチック等の帯状を成し、手指保持具４０の上下端部に沿って圧着固定する構造である（図７参照）。この固定部５１の構造はこの他、接着手段、溶着手段、係止手段、止着手段など、他の固定手段を適宜選択することが可能である。
【００５０】
一方、取付部５２は、連結具５０を表カバー１０の上下端部に着脱自在に取付ける部位である（図５、図７参照）。図示の取付部５２は、固定部５１から延長されたもので、表カバー１０の上下端部に係止する鉤形状の係止片５２Ａと、取付部５２を表カバー１０に圧着固定する芋ネジ状の固定具５２Ｂとを備えている（図５参照）。そして、表カバー１０の上下端部に係止した係止片５２Ａを固定具５２Ｂにて確実に固定するものである。取付部５２の形状や取付け手段は図示例に限られるものではなく、例えば係止片５２Ａのみの取付部５２や、他の固定具５２Ｂを備えた取付部５２、あるいは裏カバー２０の上下端部等に係止する係止部を延長形成した取付部５２など、表カバー１０の上下端部に着脱自在に取付けることができる構成を任意に選択することができる。
【００５１】
また、手指保持具４０を縦向きの帯状ループ形に形成し、ループの片側を表カバー１０の上下端部に着脱自在に係止する連結具５０として構成することも可能である（図示せず）。この場合、固定部５１と取付部５２は手指保持具４０と同じ弾性シート材にて一体的に形成され、表カバー１０の表側に連結具５０が表出する構成になる。更に、手指保持具４０と連結具５０との材質を変えて帯状ループ形に形成することも可能である。例えば弾性シート材にて任意形状の手指保持具４０を形成すると共に、弾性力のない又は少ない帯状シート材で連結具５０を形成し、これらをループ状に繋ぐことも可能である。
【００５２】
更に、この連結具５０と裏カバー２０とを磁石や面ファスナー等で着脱自在に設けることで、表示面Ｐ１から表カバー１０を開いて裏カバー２０に重ねたときに、この連結具５０にて表カバー１０を裏カバー２０に連結するように構成することも可能である。
【００５３】
本発明ケース保持具を装着するには、表カバー１０の上下端部に連結具５０の取付部５２を取付け表カバー１０の内側に手指保持具４０を装着する（図７参照）。次に、本体Ｐを使用する際は、表示部Ｐ１を覆っている表カバー１０を反転して裏カバー２０上に折り重ね、表出した手指保持具４０の手指挿入口４１のいずれか一方側から手指保持具４０の内側に手指を差し込む（図６参照）。そうすると、本体Ｐを持つ手指が手指保持具４０で保持された状態になり、この手指保持具４０を介して本体Ｐが固定されるので、本体Ｐを持った片手による本体Ｐの保持・操作が容易になる。
【００５４】
本発明ケース保持方法は、手帳型ケースの表カバー１０を利用して本体Ｐを保持する方法である。すなわち、左右に手指挿入口４１が形成された手指保持具４０を表カバー１０の内側に予め設けておく。この手指保持具４０は、前記本発明ケースの手指保持具４０や前記ケース保持具の手指保持具４０などの使用が可能である。また、これら以外の手指保持具の使用も可能である。
【００５５】
そして、表カバー１０を反転して裏カバー２０側に重ねたときに表出する手指保持具４０の手指挿入口４１内に挿入した手指で表カバー１０ごと本体Ｐを保持する方法である。このように、手帳型ケースの表カバー１０は、従来では手帳型ケースを片手で持つ際の妨げになっていたが、この表カバー１０を利用して本体Ｐを保持する方法により、手帳型ケースが片手でも持ち易いケースとして生まれ変わったものである。
【００５６】
尚、本発明ケース及び本発明ケース保持具の構成は、図示例に限定されるものではなく本発明の要旨を変更しない範囲での設計変更は自由に行えるものである。
【符号の説明】
【００５７】
Ｐ  本体
Ｐ１  表示部
Ｑ  カード
１０  表カバー
１１  透過部
１２  収納部
１３  揺動部
２０  裏カバー
２１  撮影用孔
２２  固定部
２３  連結片
３０  手指保持具
３１  手指挿入口
３２  固着部
４０  手指保持具
４１  手指挿入口
５０  連結具
５１  固定部
５２  取付部
５２Ａ  係止片
５２Ｂ  固定具
【図１】
2018114249.tif 000003
【図２】
2018114249.tif 000004
【図３】
2018114249.tif 000005
【図４】
2018114249.tif 000006
【図５】
2018114249.tif 000007
【図６】
2018114249.tif 000008
【図７】
2018114249.tif 000009
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
タッチパネル方式の表示面を有する携帯端末の本体裏側に固定する裏カバーと、該裏カバーの一側縁に揺動自在に設けられ本体の表示面を開閉自在に被覆する表カバーとで形成された手帳型ケースにおいて、表カバーの内側にカードを収納する収納部を設けると共に、表カバーの内側に弾性シート状の手指保持具を設け、該手指保持具にて収納部に収納したカードを被覆するように構成し、該手指保持具の左右に手指挿入口を形成し、表カバーを反転して裏カバー側に重ねたときに表出する手指保持具の一方の手指挿入口内に手指を挿入するように設け、挿入した手指を手指保持具で保持するように構成したことを特徴とする携帯端末保持用手帳型ケース。
【請求項２】
前記手指保持具において、前記表カバーを反転して前記裏カバー側に重ねたときに、前記手指挿入口が前記本体の左右側縁部に沿って近接する位置に形成された請求項１記載の携帯端末保持用手帳型ケース。
【請求項３】
前記裏カバーに撮影用孔を設け、該撮影用孔を前記本体裏側のカメラ機器の位置に合わせると共に、該裏カバーに前記表カバーを重ねたときに撮影用孔の位置に重なる透過部を前記表カバーに設けた請求項１記載の携帯端末保持用手帳型ケース。
【手続補正３】
【補正対象書類名】明細書
【補正対象項目名】０００１
【補正方法】変更
【補正の内容】
【０００１】
本発明は、スマートフォンやタブレット等に装着する手帳型のケースにおいて片手での保持・操作を容易にする携帯端末保持用手帳型ケースに関する。
【手続補正４】
【補正対象書類名】明細書
【補正対象項目名】００１４
【補正方法】変更
【補正の内容】
【００１４】
そこで本発明は上述の課題を解消すべく創出されたもので、従来では片手での保持・操作が困難であった手帳型ケースにおいて、携帯端末を持った片手で容易に保持・操作することが可能になる携帯端末保持用手帳型ケースの提供を目的とするものである。
【手続補正５】
【補正対象書類名】明細書
【補正対象項目名】００１５
【補正方法】変更
【補正の内容】
【００１５】
上述の目的を達成すべく本発明の第１の手段は、タッチパネル方式の表示面Ｐ１を有する携帯端末の本体Ｐ裏側に固定する裏カバー２０と、該裏カバー２０の一側縁に揺動自在に設けられ本体Ｐの表示面Ｐ１を開閉自在に被覆する表カバー１０とで形成された手帳型ケースにおいて、表カバー１０の内側にカードＱを収納する収納部１２を設けると共に、表カバー１０の内側に弾性シート状の手指保持具３０を設け、該手指保持具３０にて収納部１２に収納したカードＱを被覆するように構成し、該手指保持具３０の左右に手指挿入口３１を形成し、表カバー１０を反転して裏カバー２０側に重ねたときに表出する手指保持具３０の一方の手指挿入口３１内に手指を挿入するように設け、挿入した手指を手指保持具３０で保持するように構成したことにある。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
第３の手段は、前記裏カバー２０に撮影用孔２１を設け、該撮影用孔２１を前記本体Ｐ裏側のカメラ機器の位置に合わせると共に、該裏カバー２０に前記表カバー１０を重ねたときに撮影用孔２１の位置に重なる透過部１１を前記表カバー１０に設けたものである。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
本発明の請求項１に記載のごとく、表カバー１０の内側に弾性シート状の手指保持具３０を設けると共に、該手指保持具３０の左右に手指挿入口３１を形成し、表カバー１０を反転して裏カバー２０側に重ねたときに表出する手指保持具３０の一方の手指挿入口３１内に手指を挿入するように設け、挿入した手指を手指保持具３０で保持するように構成したことにより、開閉自在に設けられている表カバー１０を介して携帯端末を保持していても極めて安定した状態になる。この結果、従来では片手での保持・操作が困難であった手帳型のケースであっても、携帯端末を持った片手による保持・操作が容易になるものである。
また、表カバー１０の内側にカードＱを収納する収納部１２を設け、該収納部１２に収納したカードＱを手指保持具３０にて被覆するように構成しているので、携帯端末を使用する際に、表カバー１０を反転しても収納しているカードＱの露出を防ぐことができる。この結果、使用者の個人情報を守ることができ、使用時の安全性を高める効果がある。また、この手指保持具３０はカードＱが本体Ｐの表示面Ｐ１に直接接触するのを防止するので、本体Ｐの表示面Ｐ１を保護する効果も奏する。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
請求項３のごとく、裏カバー２０に撮影用孔２１を設け、該撮影用孔２１を本体Ｐ裏側のカメラ機器の位置に合わせると共に、該裏カバー２０に表カバー１０を重ねたときに撮影用孔２１の位置に重なる透過部１１を表カバー１０に設けたことにより、表カバー１０と裏カバー２０とを重ねた状態で本体Ｐのカメラを使用することが可能になる。したがって、従来の手帳型ケースのように、両手で表カバー１０を開きながら撮影するなどといった面倒な操作は解消される。しかも、撮影時において手指挿入口３１に挿入した手指を手指保持具３０で保持できるので、本体Ｐが安定し、カメラ撮影に適した操作が可能になる。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】